(57)【要約】【課題】展示会場に展示されている物品等を撮影装置で撮影した際に、その物品に関連する特定情報も同時に取得できる情報取得システムを提供する。【解決手段】対象物２０に設けられたＩＤ送信機３０は、対象物を特定できる対象物ＩＤを送信する。対象物ＩＤを受信できる位置で対象物２０の撮影が行われると、画像撮影装置１０は、撮影画像と共に対象物ＩＤを取得する。画像撮影装置１０は、取得した対象物ＩＤを情報サーバ４０に送信する。情報サーバ４０は、受信した対象物ＩＤに対応する関連情報取得先情報（対象物に関する商品性能や価格等の情報を取得できるＵＲＬ等）を、画像撮影装置１０へ返送する。画像撮影装置１０は、受信した関連情報取得先情報を撮影画像と共に記憶する。使用者は、この関連情報取得先情報を用いて対象物２０の関連情報を取得する（ＵＲＬで指定されるウエブサイトからのダウンロード等）。【選択図】　　　　図１
2004029749.tif 000002
【特許請求の範囲】
【請求項１】
撮影された対象物の関連情報を所定の情報サーバから取得できる情報取得システムであって、
１つ以上の対象物にそれぞれ対応させて設けられ、対応する対象物を一意に特定できる対象物識別情報を、第１の通信手法によって送信する１つ以上のＩＤ送信機と、
１つ以上の対象物のうちの１つの対象物の撮影を行い、この撮影の際に前記ＩＤ送信機から送信される前記対象物識別情報を受信し、受信した対象物識別情報を利用して当該１つの対象物の関連情報を第２の通信手法によって前記所定の情報サーバから取得する画像撮影装置とを備える、情報取得システム。
【請求項２】
前記所定の情報サーバが、所定のネットワークと通信可能に接続されており、
前記画像撮影装置は、前記対象物識別情報と使用者が有する所定のメールアドレスとを前記所定の情報サーバへ送信し、
前記所定の情報サーバは、前記１つの対象物の関連情報を、前記メールアドレスで指定される機器へネットワークを介して送信することを特徴とする、請求項１に記載の情報取得システム。
【請求項３】
前記第２の通信手法が、無指向性の無線通信で行われ、前記第１の通信手法が、有指向性かつ前記第２の通信手法よりも通信距離が短い赤外線通信で行われることを特徴とする、請求項１に記載の情報取得システム。
【請求項４】
前記第２の通信手法が、無指向性の無線通信で行われ、前記第１の通信手法が、有指向性かつ前記第２の通信手法よりも通信距離が短い無線通信で行われることを特徴とする、請求項１に記載の情報取得システム。
【請求項５】
前記第２の通信手法が、無指向性の無線通信で行われ、前記第１の通信手法が、無指向性かつ前記第２の通信手法よりも通信距離が短い無線タグを用いた無線通信で行われることを特徴とする、請求項１に記載の情報取得システム。
【請求項６】
前記画像撮影装置は、前記ＩＤ送信機から前記対象物識別情報を受信したことを示す所定のマークを画面表示させることを特徴とする、請求項１に記載の情報取得システム。
【請求項７】
前記画像撮影装置は、前記ＩＤ送信機から前記対象物識別情報を受信した対象物に関する所定の情報を画面表示させ、この表示された情報の中の１つを選択する指示を使用者から入力することを特徴とする、請求項１に記載の情報取得システム。
【請求項８】
前記画像撮影装置は、対象物の画像を取り込むための撮影ボタンが使用者によって操作されることで、前記ＩＤ送信機から送信される前記対象物識別情報の受信を実行することを特徴とする、請求項１に記載の情報取得システム。
【請求項９】
前記対象物識別情報は、対象物に関連する情報を前記第２の通信手法により取得可能なネットワーク上の情報提供先を与える取得先情報であることを特徴とする、請求項１に記載の情報取得システム。
【請求項１０】
前記ＩＤ送信機は、それぞれ、
前記対象物識別情報を記憶する記憶部と、
前記記憶部に格納されている前記対象物識別情報を、前記第１の通信手法によって前記画像撮影装置へ送信する情報送信部とを含み、
前記画像撮影装置は、
使用者による撮影操作に応じて、特定の対象物を撮影して画像を取り込む画像取得部と、
前記画像取得部で撮影された特定の対象物の前記対象物識別情報を、当該特定の対象物に設けられた前記ＩＤ送信機から受信する情報受信部と、
使用者からの要求に応じて、前記情報受信部で受信された前記対象物識別情報を、前記第２の通信手法によって前記所定の情報サーバへ送信する要求送信部と、
前記対象物識別情報の送信に対する応答を、前記所定の情報サーバから受信する応答受信部とを含み、
前記所定の情報サーバは、
前記対象物の関連情報を前記対象物識別情報のそれぞれに対応させて格納する格納部と、
前記画像撮影装置から前記対象物識別情報を受信する要求受信部と、
前記要求受信部で受信された前記対象物識別情報に対応する前記対象物の関連情報を、前記第２の通信手法によって前記画像撮影装置へ送信する応答送信部とを含む、請求項１に記載の情報取得システム。
【請求項１１】
撮影された対象物の関連情報を所定の情報サーバから取得できる画像撮影装置であって、
１つ以上の対象物のうちの１つの対象物の撮影を行い、この撮影の際に当該１つの対象物に対応させて設けられたＩＤ送信機から第１の通信手法によって送信される対象物を一意に特定できる対象物識別情報を受信し、受信した対象物識別情報を利用して当該１つの対象物の関連情報を第２の通信手法によって前記所定の情報サーバから取得する、画像撮影装置。
【請求項１２】
使用者による撮影操作に応じて、特定の対象物を撮影して画像を取り込む画像取得部と、
前記画像取得部で撮影された特定の対象物の前記対象物識別情報を、当該特定の対象物に設けられた前記ＩＤ送信機から前記第１の通信手法によって受信する情報受信部と、
使用者からの要求に応じて、前記情報受信部で受信された前記対象物識別情報を、前記第２の通信手法によって前記所定の情報サーバへ送信する要求送信部と、
前記対象物識別情報に対応した前記対象物の関連情報を、前記第２の通信手法によって前記所定の情報サーバから受信する応答受信部とを備える、請求項１１に記載の画像撮影装置。
【請求項１３】
対象物の撮影機能及び所定の通信機能を有する画像撮影装置と、１つ以上の対象物に対応させて設けられており、対応する対象物を一意に特定できる対象物識別情報を格納し、かつ対象物識別情報の送信機能を有する１つ以上のＩＤ送信機と、対象物の関連情報を対象物識別情報のそれぞれに対応させて格納し、かつ所定の通信機能を有する情報サーバとを備えたシステムで実行される、情報取得方法であって、
使用者による撮影操作に応じて、前記画像撮影装置が、特定の対象物を撮影して画像を取り込むステップと、
前記取り込むステップによる画像の取り込みの際に、前記画像撮影装置が、前記特定の対象物に対応させて設けられた前記ＩＤ送信機から第１の通信手法によって前記対象物識別情報を受信するステップと、
使用者からの要求に応じて、前記画像撮影装置が、前記受信した対象物識別情報を利用して前記特定の対象物の関連情報を第２の通信手法によって前記情報サーバから取得するステップとを備える、情報取得方法。
【請求項１４】
撮影された対象物の関連情報を所定の情報サーバから取得できる画像撮影装置に着脱可能な記録媒体であって、
前記画像撮影装置は、１つ以上の対象物のうちの１つの対象物の撮影を行い、この撮影の際に当該１つの対象物に対応させて設けられたＩＤ送信機から第１の通信手法によって送信される対象物を一意に特定できる対象物識別情報を受信し、受信した対象物識別情報を利用して当該１つの対象物の関連情報を第２の通信手法によって前記所定の情報サーバから取得するものであり、
前記記録媒体は、前記画像撮影装置が撮影した前記１つの対象物の撮影画像データと、前記対象物識別情報を、対応付けて記録することを特徴とする、記録媒体。
【発明の詳細な説明】
【０００１】
【発明の属する技術分野】
本発明は、情報取得システム及び情報取得方法並びに画像撮影装置に関し、より特定的には、撮影した対象物の関連情報を取得して、撮影画像と共に管理する情報取得システム及びその情報取得方法、並びにそのシステムを構成する情報通信機能を備えた画像撮影装置に関する。
【０００２】
【従来の技術】
近年、デジタルスチルカメラやカメラ付き携帯電話等、情報通信機能を備えた画像撮影装置が普及している。この画像撮影装置で撮影された画像は、パソコンに取り込まれて電子アルバムの素材になったり、電子メールに添付して送られたりと、様々な方法で活用されている。また、ビジネスの場面においても、画像撮影装置で撮影された画像を、報告書やプレゼンテーション資料に貼り付けたり添付したりすることが、頻繁に行われている。さらに、展示会等の場面においても、展示されている物品（以下、対象物と記す）を画像撮影装置で撮影して、その撮影画像を展示会場に行かなかった人に見せて説明すること等が行われている。
【０００３】
一般に、画像撮影装置では、対象物の撮影画像しか得られない。このため、撮影した対象物に関する特徴や仕様等の情報を取得したい場合には、その情報が記載されたパンフレットを入手したり、その情報を説明員から聞いてメモをとる等の行為が必要である。これらの行為は、撮影する対象物が多くなればなるほど、煩わしくなるものである。よって、対象物の画像撮影と同時に対象物に関連する情報を取得できれば、大変便利である。
【０００４】
この便利さを実現させた従来技術として、特許文献１に開示されている技術が存在する。この特許文献１に開示されている技術は、各対象物の近傍にその対象物に関連する情報を送信する機械をそれぞれ予め設置し、画像撮影装置（カメラ）で対象物（ライオン）を撮影した際に、機械から関連情報（名前、出身地、年齢、鳴き声等）を受信して、この受信した関連情報を撮影画像と共に記憶させるというものである。
【０００５】
【特許文献１】
特開平１０−１６１２２７号公報
【０００６】
【発明が解決しようとする課題】
しかしながら、上記特許文献１に開示されている技術では、対象物に直接関連する多くの情報を画像撮影装置に向けて一度に送信するため、各機械にはこの多くの情報を格納しておく大容量のメモリを備える必要がある。また、機械それぞれに関連情報を格納しておくメモリを備えているため、関連情報の変更等が必要になった場合には、機械の設置場所に出向いてメモリ内容の書き換えを行わなければならず、メンテナンスが大変であるという問題もある。
【０００７】
それ故に、本発明の目的は、画像撮影装置に提供する情報として、関連情報の取得先を示す情報を用いると共に、この情報を集中的に管理する情報取得システム及び情報取得方法並びに画像撮影装置を提供することである。
【０００８】
【課題を解決するための手段】
第１の発明は、撮影された対象物の関連情報を所定の情報サーバから取得できる情報取得システムであって、
１つ以上の対象物にそれぞれ対応させて設けられ、対応する対象物を一意に特定できる対象物識別情報を、第１の通信手法によって送信する１つ以上のＩＤ送信機と、
１つ以上の対象物のうちの１つの対象物の撮影を行い、この撮影の際にＩＤ送信機から送信される対象物識別情報を受信し、受信した対象物識別情報を利用して当該１つの対象物の関連情報を第２の通信手法によって所定の情報サーバから取得する画像撮影装置とを備える。
【０００９】
第２の発明は、第１の発明に従属する情報取得システムであって、
所定の情報サーバが、所定のネットワークと通信可能に接続されており、画像撮影装置は、対象物識別情報と使用者が有する所定のメールアドレスとを所定の情報サーバへ送信し、所定の情報サーバは、１つの対象物の関連情報を、メールアドレスで指定される機器へネットワークを介して送信することを特徴とする。
【００１０】
第３の発明は、第１の発明に従属する情報取得システムであって、
第２の通信手法が、無指向性の無線通信で行われ、第１の通信手法が、有指向性かつ第２の通信手法よりも通信距離が短い赤外線通信で行われることを特徴とする。
【００１１】
第４の発明は、第１の発明に従属する情報取得システムであって、
第２の通信手法が、無指向性の無線通信で行われ、第１の通信手法が、有指向性かつ第２の通信手法よりも通信距離が短い無線通信で行われることを特徴とする。
【００１２】
第５の発明は、第１の発明に従属する情報取得システムであって、
第２の通信手法が、無指向性の無線通信で行われ、第１の通信手法が、無指向性かつ第２の通信手法よりも通信距離が短い無線タグを用いた無線通信で行われることを特徴とする。
【００１３】
第６の発明は、第１の発明に従属する情報取得システムであって、
画像撮影装置は、ＩＤ送信機から対象物識別情報を受信したことを示す所定のマークを画面表示させることを特徴とする。
【００１４】
第７の発明は、第１の発明に従属する情報取得システムであって、
画像撮影装置は、ＩＤ送信機から対象物識別情報を受信した対象物に関する所定の情報を画面表示させ、この表示された情報の中の１つを選択する指示を使用者から入力することを特徴とする。
【００１５】
第８の発明は、第１の発明に従属する情報取得システムであって、
画像撮影装置は、対象物の画像を取り込むための撮影ボタンが使用者によって操作されることで、ＩＤ送信機から送信される対象物識別情報の受信を実行することを特徴とする。
【００１６】
第９の発明は、第１の発明に従属する情報取得システムであって、
対象物識別情報は、対象物に関連する情報を第２の通信手法により取得可能なネットワーク上の情報提供先を与える取得先情報であることを特徴とする。
【００１７】
第１０の発明は、第１の発明に従属する情報取得システムであって、
ＩＤ送信機は、それぞれ、対象物識別情報を記憶する記憶部と、記憶部に格納されている対象物識別情報を、第１の通信手法によって画像撮影装置へ送信する情報送信部とを含み、
画像撮影装置は、使用者による撮影操作に応じて、特定の対象物を撮影して画像を取り込む画像取得部と、画像取得部で撮影された特定の対象物の対象物識別情報を、当該特定の対象物に設けられたＩＤ送信機から受信する情報受信部と、使用者からの要求に応じて、情報受信部で受信された対象物識別情報を、第２の通信手法によって所定の情報サーバへ送信する要求送信部と、対象物識別情報の送信に対する応答を、所定の情報サーバから受信する応答受信部とを含み、
所定の情報サーバは、対象物の関連情報を対象物識別情報のそれぞれに対応させて格納する格納部と、画像撮影装置から対象物識別情報を受信する要求受信部と、要求受信部で受信された対象物識別情報に対応する対象物の関連情報を、第２の通信手法によって画像撮影装置へ送信する応答送信部とを含む。
【００１８】
第１１の発明は、撮影された対象物の関連情報を所定の情報サーバから取得できる画像撮影装置であって、
１つ以上の対象物のうちの１つの対象物の撮影を行い、この撮影の際に当該１つの対象物に対応させて設けられたＩＤ送信機から第１の通信手法によって送信される対象物を一意に特定できる対象物識別情報を受信し、受信した対象物識別情報を利用して当該１つの対象物の関連情報を第２の通信手法によって所定の情報サーバから取得する。
【００１９】
第１２の発明は、第１１の発明に従属する画像撮影装置であって、
使用者による撮影操作に応じて、特定の対象物を撮影して画像を取り込む画像取得部と、画像取得部で撮影された特定の対象物の対象物識別情報を、当該特定の対象物に設けられたＩＤ送信機から第１の通信手法によって受信する情報受信部と、使用者からの要求に応じて、情報受信部で受信された対象物識別情報を、第２の通信手法によって所定の情報サーバへ送信する要求送信部と、対象物識別情報に対応した対象物の関連情報を、第２の通信手法によって所定の情報サーバから受信する応答受信部とを備える。
【００２０】
第１３の発明は、対象物の撮影機能及び所定の通信機能を有する画像撮影装置と、１つ以上の対象物に対応させて設けられており、対応する対象物を一意に特定できる対象物識別情報を格納し、かつ対象物識別情報の送信機能を有する１つ以上のＩＤ送信機と、対象物の関連情報を対象物識別情報のそれぞれに対応させて格納し、かつ所定の通信機能を有する情報サーバとを備えたシステムで実行される、情報取得方法であって、
使用者による撮影操作に応じて、画像撮影装置が、特定の対象物を撮影して画像を取り込むステップと、取り込むステップによる画像の取り込みの際に、画像撮影装置が、特定の対象物に対応させて設けられたＩＤ送信機から第１の通信手法によって対象物識別情報を受信するステップと、使用者からの要求に応じて、画像撮影装置が、受信した対象物識別情報を利用して特定の対象物の関連情報を第２の通信手法によって情報サーバから取得するステップとを備える。
【００２１】
第１４の発明は、撮影された対象物の関連情報を所定の情報サーバから取得できる画像撮影装置に着脱可能な記録媒体であって、
画像撮影装置は、１つ以上の対象物のうちの１つの対象物の撮影を行い、この撮影の際に当該１つの対象物に対応させて設けられたＩＤ送信機から第１の通信手法によって送信される対象物を一意に特定できる対象物識別情報を受信し、受信した対象物識別情報を利用して当該１つの対象物の関連情報を第２の通信手法によって所定の情報サーバから取得するものであり、
記録媒体は、画像撮影装置が撮影した１つの対象物の撮影画像データと、対象物識別情報を、対応付けて記録することを特徴とする。
【００２２】
【発明の実施の形態】
以下、画像撮影装置が情報通信機能を備えたデジタルスチルカメラであって、展示会場（例えば、モーターショーやエレクトロニクスショー）に展示されている物品（例えば、車やパソコン）を撮影対象とする場合を一例に挙げて、本発明の情報取得システム及び情報取得方法を説明する。
【００２３】
（第１の実施形態）
図１は、本発明の第１の実施形態に係る情報取得システムの構成を示すブロック図である。図１に示すように、第１の実施形態に係る情報取得システムは、画像撮影装置１０と、１つ以上の対象物２０と、情報サーバ４０とで構成される。対象物２０は、撮影対象となる展示物品である。この対象物２０には、ＩＤ送信機３０が設けられている。この情報取得システムでは、ＩＤ送信機３０から画像撮影装置１０に向けて、指向性がありかつ通信距離が短い（１０ｍ未満）赤外線通信が行われ、また画像撮影装置１０と情報サーバ４０との双方向で指向性がなくかつ通信距離が長い（１０ｍ以上）無線通信が行われる。
【００２４】
まず、第１の実施形態に係る情報取得システムを構成する画像撮影装置１０、ＩＤ送信機３０及び情報サーバ４０の概要を、それぞれ説明する。
【００２５】
図２は、図１に示す画像撮影装置１０の詳細な構成を示すブロック図である。図２において、画像撮影装置１０は、システム制御部１０１と、記憶部１０２と、キー入力部１０３と、無線通信部１０４と、無指向性アンテナ１０５と、赤外線受信部１０６と、赤外線受光部１０７と、画像取得部１０８と、画像符号化処理部１０９と、画像復号化処理部１１０と、表示部１１１とを備える。
【００２６】
図２において、画像取得部１０８は、光学レンズ（図示せず）を通して撮影した対象物２０の画像を取得する。画像符号化処理部１０９は、画像取得部１０８で取得された画像に所定の符号化処理を施して、符号化画像データを生成する。画像復号化処理部１１０は、符号化画像データに所定の復号化処理を施して、撮影画像を復元する。表示部１１１は、画像復号化処理部１１０で復元された撮影画像を画面に表示する。赤外線受信部１０６及び赤外線受光部１０７は、ＩＤ送信機３０から送出される赤外線を受光して、所定の対象物ＩＤを抽出する。無線通信部１０４及び無指向性アンテナ１０５は、情報サーバ４０への対象物ＩＤの送信及び情報サーバ４０からの所定の関連情報取得先情報の受信を、無線通信によって行う。記憶部１０２は、画像符号化処理部１０９で生成された符号化画像データや無線通信部１０４が受信した関連情報取得先情報を記憶する。この記憶部１０２は、画像撮影装置１０に内蔵される記録媒体（例えばＲＡＭ）であってもよいし、画像撮影装置１０に着脱可能な記録媒体（例えばメモリカード）であってもよい。キー入力部１０３は、対象物撮影の指示や情報サーバ４０からの関連情報取得先情報の受信指示を、使用者から受け付ける。システム制御部１０１は、各構成への指示や情報及びデータのやり取り等の、画像撮影装置１０の全体の処理を司る。
【００２７】
図３は、図１に示すＩＤ送信機３０の詳細な構成を示すブロック図である。図３において、ＩＤ送信機３０は、ＩＤ記憶部３０１と、赤外線送信部３０２と、赤外線発光部３０３とを備える。
【００２８】
ＩＤ記憶部３０１は、設けられている対象物２０を一意に特定するための情報である対象物識別情報（以下、対象物ＩＤと記す）を記憶する。この対象物ＩＤは、それぞれの対象物２０に予め固有に与えられている。赤外線送信部３０２及び赤外線発光部３０３は、ＩＤ記憶部３０１に記憶されている対象物ＩＤを、赤外線に変換して送出する。赤外線の送出は、常時行われてもよいし、所定の間隔で定期的に行われてもよい。なお、ＩＤ送信機３０は、対象物２０と一体構成の形態で設けられてもよいし、対象物２０の近傍に独立設置される形態で設けられてもよい。
【００２９】
図４は、図１に示す情報サーバ４０の詳細な構成を示すブロック図である。図４において、情報サーバ４０は、サーバ制御部４０１と、情報格納部４０２と、無線通信部４０３と、無指向性アンテナ４０４とを備える。
【００３０】
情報格納部４０２は、対象物２０に関連する商品性能や価格等の情報を取得できる情報提供先を与える情報（以下、関連情報取得先情報という）を、各対象物ＩＤに対応させて格納している。この関連情報取得先情報としては、対象物２０を紹介しているウエブサイトのＵＲＬや、テレビ番組の放送チャネル及び時間等が考えられる。図５に、関連情報取得先情報をＵＲＬとした場合の情報格納部４０２に格納される内容の一例を示す。サーバ制御部４０１は、画像撮影装置１０から対象物ＩＤを受け取り、情報格納部４０２からその対象物ＩＤの関連情報取得先情報を抽出し、画像撮影装置１０へ返送する。無線通信部４０３及び無指向性アンテナ４０４は、サーバ制御部４０１からの指示に応じて、画像撮影装置１０からの対象物ＩＤの受信及び画像撮影装置１０への関連情報取得先情報の送信を、無線通信によって行う。
【００３１】
なお、画像撮影装置１０から情報サーバ４０へ対象物ＩＤが送信される際に、どの画像撮影装置１０から送信されたのかを示す所定の識別子が付されること、及び情報サーバ４０から画像撮影装置１０へ関連情報取得先情報が送信される際に、上記所定の識別子が付されることは、無線通信の分野において周知のことであるので、ここでの詳細な説明は省略する。画像撮影装置１０を特定するための識別子としては、装置アドレス、無線通信周波数、Ｂｌｕｅｔｏｏｔｈ（Ｒ）等の周波数ホッピング型スペクトル拡散方式による無線通信における周波数ホッピングパターン、装置の認証情報等が挙げられる。
【００３２】
次に、上記構成による第１の実施形態に係る情報取得システムで行われる、情報取得方法を説明する。図６は、ＩＤ送信機３０から送信される赤外線、及び画像撮影装置１０及び情報サーバ４０から送信される無線電波の一例を示す図である。図７は、本発明の第１の実施形態に係る情報取得方法の処理手順を示すフローチャートである。図８は、画像撮影装置１０の表示部１１１に表示される画面例を示す図である。図９は、画像撮影装置１０の記憶部１０２に記憶される内容の一例を示す図である。図１０は、第１の実施形態に係る情報取得方法に基づいて実行される通信シーケンスの一例を示す図である。
【００３３】
上述したように、ＩＤ送信機３０は、指向性がありかつ通信距離が短い赤外線を用いて、所定の領域に向けて対象物ＩＤを送信する。所定の領域としては、大抵の使用者が撮影のために立ち止まるであろう対象物２０の正面の領域が最も好ましい（図６（ａ）の網掛け部分）。この赤外線通信により、画像撮影装置１０が移動することで、複数のＩＤ送信機３０の中から所望の１つを特定できるのである。
【００３４】
一方、画像撮影装置１０及び情報サーバ４０は、指向性がなくかつ通信距離が長い無線電波を用いて双方向の通信を実現する。この無線電波は、展示会場の全域をカバーできる出力強度であることが好ましい（図６（ｂ）の網掛け部分）。この無線通信により、画像撮影装置１０は、現在の場所から常に情報サーバ４０と通信を行うことができるのである。
【００３５】
画像撮影装置１０を持つ使用者は、ある特定の対象物２０を撮影しようとする場合、特定の対象物２０の正面方向に移動する、すなわち画像撮影装置１０が特定の対象物２０に設けられたＩＤ送信機３０から送信される対象物ＩＤのみを受信することができる位置に移動する（ステップＳ７１）。この場合、対象物ＩＤを受信することができる位置に移動できたかどうかを、使用者に通知することが好ましい。この通知は、図８のように画像撮影装置１０の表示部１１１の画面上に所定のマーク「ｉ」を表示することで行ってもよいし、所定の音を鳴らすことで行ってもよい。
【００３６】
使用者は、対象物ＩＤを受信することができる位置に移動すると、対象物２０の撮影操作を行う（ステップＳ７２，Ｙｅｓ）。対象物が撮影されると、画像撮影装置１０は、受信している対象物ＩＤを取得する（ステップＳ７３）。典型的には、画像撮影装置１０の撮影ボタン（シャッター）が押されたことで対象物２０が撮影されたことを自動的に判断し、対象物ＩＤが取得される。画像撮影装置１０は、対象物ＩＤを取得すると、使用者の要求に応じてこの対象物ＩＤを情報サーバ４０に向けて無線電波で送信する（ステップＳ７４）。使用者の要求は、対象物２０の撮影操作に連動して自動的に与えられるものでもよいし、撮影後に使用者によって別途手動で与えられてもよい。後者の場合には、それまでに撮影した複数の対象物２０の関連情報取得先情報をまとめて取得することが可能となる。情報サーバ４０は、画像撮影装置１０から対象物ＩＤを受信し、この対象物ＩＤに対応する関連情報取得先情報を、画像撮影装置１０へ送信する（ステップＳ７５）。
【００３７】
画像撮影装置１０は、情報サーバ４０から関連情報取得先情報を受信し（ステップＳ７６）、撮影した画像の符号化画像データと関連情報取得先情報とを対応付けて、すなわちパッケージ化して記憶部１０２に記憶する（ステップＳ７７、図９）。このようにパッケージ化して記憶すれば、後でパソコン等で利用する場合でも、画像を選択するだけで対応する関連情報取得先情報を特定することが可能となる。
【００３８】
そして、このように取得された関連情報取得先情報は、例えば、次のように利用される。関連情報取得先情報がＵＲＬであって画像撮影装置１０がインターネット接続可能ならば、画像撮影装置１０が、ＵＲＬで指定されるウエブサイトから関連情報をダウンロードする。画像撮影装置１０がインターネット接続不可能ならば、インターネット接続されたパソコン等を用いて、パソコン等が、ＵＲＬで指定されるウエブサイトから関連情報をダウンロードする。関連情報取得先情報が番組情報であって画像撮影装置１０が番組録画機器と接続可能ならば、画像撮影装置１０が、番組録画機器に対して番組の録画予約を実行する。
【００３９】
なお、上記実施例では、画像撮影装置１０と情報サーバ４０との間に無線通信路を確立することなく、対象物ＩＤ及び関連情報取得先情報の送受信が行われる場合を説明した。しかし、この場合には、情報サーバ４０での対象物ＩＤの受信又は画像撮影装置１０での関連情報取得先情報の受信が失敗した場合に、画像撮影装置１０が関連情報取得先情報を取得できないことになる。従って、図１０に示すように、画像撮影装置１０と情報サーバ４０との間に無線通信路を確立した後に、関連情報取得先情報を送受信するようにしてもよい。
【００４０】
以上のように、本発明の第１の実施形態に係る情報取得システム及び情報取得方法によれば、各ＩＤ送信機３０からは対象物ＩＤだけを送信させるので、ＩＤ送信機３０は、対象物ＩＤを格納するだけの小さなメモリ領域を持てばよいことになる。また、情報サーバ４０は、対象物２０に関連する直接の情報ではなく、関連情報を取得できる先を示す情報を格納するので、メモリ領域が小さくて済む。また、情報サーバ４０は、複数の対象物２０の関連情報取得先情報を一元的に管理しているので、省スペース化及び低コスト化を図ることができ、また関連情報取得先情報の変更が生じた場合のメンテナンスも容易である。さらに、対象物２０の撮影時に取得する情報が関連情報取得先情報であるので、使用者は、画像撮影装置１０のメモリ残量が少ないとき等には、後から関連情報を入手するといった利用が可能となる。
【００４１】
なお、上記第１の実施形態では、ＩＤ送信機３０から画像撮影装置１０への対象物ＩＤの送信を、赤外線通信を用いて行う場合を説明したが、指向性がありかつ通信距離が短い無線通信を用いて行ってもよい。この無線通信は、ＩＤ送信機３０の赤外線送信部３０２及び赤外線発光部３０３をそれぞれ無線通信部及び指向性アンテナに、画像撮影装置１０の赤外線受信部１０６及び赤外線受光部１０７をそれぞれ無線通信部及び指向性アンテナに、変更することで容易に実現できる。この場合、画像撮影装置１０において、無指向性アンテナ１０５と指向性アンテナとを適宜切り替えると共に送受信感度を制御する構成にすれば、無線通信部が１つで済み、画像撮影装置１０の小型化及び低コスト化が図れる。又は、指向性がなくかつ通信距離が短い無線通信を用いて行ってもよい。この無線通信は、ＩＤ送信機３０の赤外線送信部３０２及び赤外線発光部３０３をそれぞれ無線タグからなる非接触通信部及び無指向性アンテナに、画像撮影装置１０の赤外線受信部１０６及び赤外線受光部１０７をそれぞれ非接触通信部及び無指向性アンテナに、変更することで容易に実現できる。
【００４２】
また、上記第１の実施形態では、情報サーバ４０が、対象物２０の関連情報取得先情報を画像撮影装置１０に送信する場合を説明した。しかし、図１１に示すように、情報サーバ４０にサーバ制御部４０１をネットワークに接続させるネットワークインタフェース部４０５をさらに付加することで、以下の処理を行うことも可能である。
【００４３】
画像撮影装置１０は、対象物２０の撮影後、対象物ＩＤと共に使用者が有するメールアドレスを情報サーバ４０に送信する。情報サーバ４０は、画像撮影装置１０から対象物ＩＤ及びメールアドレスを受信すると、この対象物ＩＤに対応する関連情報取得先情報を情報格納部４０２から抽出する。そして、情報サーバ４０は、ネットワークインタフェース部４０５を介して、抽出した関連情報取得先情報をメールアドレスで指定される機器に送信する。これにより、パソコン等の任意の機器に関連情報取得先情報を送信してもらうことができる。これは、画像撮影装置１０のメモリ残量よりも関連情報の容量が大きい場合や、画像撮影装置１０の通信速度が遅くて関連情報の取得完了までに時間がかかる場合等に、有効である。
【００４４】
また、上記第１の実施形態では、画像撮影装置１０から情報サーバ４０に送信される情報が、対象物ＩＤだけである場合を説明したが、画像撮影装置１０を持つ使用者のプロファイル（氏名、会社名、所属等）を付加して送信すれば、次のようなマーケティング効果も生じる。
【００４５】
どの対象物２０に、どの会社のどんな業務を行っている人物が興味を持っているか、といった情報を収集することができ、今後の営業活動に利用できる。また、展示会場での名刺交換やその後の名刺整理等の従来行われている作業を、電子化することができる。また、情報サーバ４０は、送信される使用者のプロファイルに基づいて、画像撮影装置１０に送信する関連情報取得先情報を異ならせたり、関連情報取得先情報の送信を拒否することも可能である。例えば、同業他社には、詳細情報は送信しないようにすること等である。また、情報サーバ４０は、使用者のプロファイルに基づいて、関連情報取得先情報の提供に対する課金を行うことも可能である。
【００４６】
さらに、上記第１の実施形態では、画像撮影装置１０が、ＩＤ送信機３０から送信される対象物ＩＤを利用して、情報サーバ４０から関連情報取得先情報を取得する例を記載した。しかし、ＩＤ送信機３０から送信される対象物ＩＤを関連情報取得先情報としても構わない。
【００４７】
（第２の実施形態）
図１２は、本発明の第２の実施形態に係る情報取得システムの構成を示すブロック図である。図１２に示すように、第２の実施形態に係る情報取得システムは、画像撮影装置５０と、１つ以上の対象物２０と、情報サーバ７０とで構成される。対象物２０は、上述したように撮影対象となる展示物品である。この対象物２０には、ＩＤ受信機６０が設けられている。このシステムでは、画像撮影装置５０からＩＤ受信機６０に向けて、指向性がありかつ通信距離が短い（１０ｍ未満）赤外線通信が、情報サーバ７０から画像撮影装置５０に向けて指向性がなくかつ通信距離が長い（１０ｍ以上）無線通信が行われる。また、各ＩＤ受信機６０と情報サーバ７０とは、有線接続されている。
【００４８】
まず、第２の実施形態に係る情報取得システムを構成する画像撮影装置５０、ＩＤ受信機６０及び情報サーバ７０の概要を、それぞれ説明する。
【００４９】
図１３は、図１２に示す画像撮影装置５０の詳細な構成を示すブロック図である。図１３において、画像撮影装置５０は、システム制御部５０１と、記憶部５０２と、キー入力部１０３と、無線通信部５０４と、無指向性アンテナ５０５と、赤外線送信部５０６と、赤外線発光部５０７と、画像取得部１０８と、画像符号化処理部１０９と、画像復号化処理部１１０と、表示部１１１とを備える。
【００５０】
図１３のように、第２の実施形態の画像撮影装置５０の構成は、上記第１の実施形態の画像撮影装置１０の構成と比べて、システム制御部５０１、記憶部５０２、無線通信部５０４、無指向性アンテナ５０５、赤外線送信部５０６及び赤外線発光部５０７が異なる。以下、この異なる部分を中心に画像撮影装置５０を説明する。
【００５１】
図１３において、記憶部５０２は、画像符号化処理部１０９で生成された符号化画像データや、画像撮影装置５０を一意に特定するための情報である装置識別情報（以下、装置ＩＤと記す）を記憶する。赤外線送信部５０６及び赤外線発光部５０７は、記憶部５０２に記憶されている装置ＩＤを赤外線に変換して送出する。赤外線の送出は、画像撮影装置５０の撮影ボタンが押されることによって行われる。無線通信部５０４及び無指向性アンテナ５０５は、情報サーバ７０からの関連情報取得先情報の受信を、無線通信によって行う。システム制御部５０１は、各構成への指示や情報及びデータのやり取り等の、画像撮影装置５０の全体の処理を司る。
【００５２】
図１４は、図１２に示すＩＤ受信機６０の詳細な構成を示すブロック図である。図１４において、ＩＤ受信機６０は、ＩＤ記憶部６０１と、赤外線受信部６０２と、赤外線受光部６０３と、インタフェース部６０４とを備える。
【００５３】
ＩＤ記憶部６０１は、上述した対象物ＩＤを記憶する。赤外線受信部６０２及び赤外線受光部６０３は、画像撮影装置５０から送出される赤外線を受光して、装置ＩＤを抽出する。インタフェース部６０４は、赤外線受信部６０２で抽出された装置ＩＤを、ＩＤ記憶部６０１に記憶されている対象物ＩＤと共に、情報サーバ７０に送出する。なお、ＩＤ受信機６０は、対象物２０と一体構成の形態で設けられてもよいし、対象物２０の近傍に独立設置される形態で設けられてもよい。
【００５４】
図１５は、図１２に示す情報サーバ７０の詳細な構成を示すブロック図である。図１５において、情報サーバ７０は、サーバ制御部７０１と、情報格納部４０２と、無線通信部７０３と、無指向性アンテナ７０４と、インタフェース部７０５とを備える。
図１５のように、第２の実施形態の情報サーバ７０の構成は、上記第１の実施形態の情報サーバ４０の構成と比べて、情報格納部４０２以外が異なる。以下、この異なる部分を中心に情報サーバ７０を説明する。
【００５５】
インタフェース部７０５は、ＩＤ受信機６０から対象物ＩＤ及び装置ＩＤを入力する。サーバ制御部７０１は、インタフェース部７０５から対象物ＩＤ及び装置ＩＤを受け取り、情報格納部４０２からその対象物ＩＤの関連情報取得先情報を抽出し、装置ＩＤで特定される画像撮影装置５０へ送信する。無線通信部７０３及び無指向性アンテナ７０４は、サーバ制御部７０１からの指示に応じて、画像撮影装置５０への関連情報取得先情報の送信を、無線通信によって行う。
【００５６】
次に、上記構成による第２の実施形態に係る情報取得システムで行われる、情報取得方法を説明する。図１６は、本発明の第２の実施形態に係る情報取得方法の処理手順を示すフローチャートである。
なお、上記第１の実施形態と同様、情報サーバ７０は、指向性がなくかつ通信距離が長い無線電波を用いて、画像撮影装置５０への通信を実現する。この無線電波は、展示会場の全域をカバーできる出力強度であることが好ましい（図６（ｂ）を参照）。
【００５７】
画像撮影装置５０を持つ使用者は、ある特定の対象物２０を撮影しようとする場合、特定の対象物２０の正面方向に移動する、すなわち画像撮影装置１０の装置ＩＤを特定の対象物２０に設けられたＩＤ受信機６０だけが受信できる位置に移動する（ステップＳ１６１）。
【００５８】
使用者は、ＩＤ受信機６０が装置ＩＤを受信できる位置に移動すると、対象物２０の撮影操作を行う（ステップＳ１６２，Ｙｅｓ）。画像撮影装置５０は、対象物２０が撮影されると、記憶部５０２に格納されている装置ＩＤをＩＤ受信機６０に向けて送出する（ステップＳ１６３）。典型的には、画像撮影装置５０の撮影ボタン（シャッター）が押されたことで対象物２０が撮影されたことを自動的に判断し、装置ＩＤが送出される。ＩＤ受信機６０は、画像撮影装置５０から送出された装置ＩＤを受信する（ステップＳ１６４）。ＩＤ受信機６０は、画像撮影装置５０から装置ＩＤを受信すると、この装置ＩＤをＩＤ記憶部６０１に格納されている自己の対象物ＩＤと共に情報サーバ７０に送信する（ステップＳ１６５）。
【００５９】
情報サーバ７０は、ＩＤ受信機６０から対象物ＩＤ及び装置ＩＤを受信し、この対象物ＩＤに対応する関連情報取得先情報を、装置ＩＤで特定される画像撮影装置５０へ送信する（ステップＳ１６６）。なお、情報サーバ７０から画像撮影装置５０への関連情報取得先情報の送信は、情報サーバ７０がＩＤ受信機６０から対象物ＩＤを受信すると直ちに行われてもよいし、撮影後に使用者が与えるタイミングで行ってもよい。後者の場合には、それまでに撮影した複数の対象物２０の関連情報取得先情報をまとめて取得することが可能となる。
【００６０】
装置ＩＤで特定される画像撮影装置５０は、情報サーバ７０から関連情報取得先情報を受信し（ステップＳ１６７）、撮影した画像の符号化画像データと関連情報取得先情報とをパッケージ化して記憶部５０２に記憶する（ステップＳ１６８、図９を参照）。
【００６１】
なお、上記実施例では、画像撮影装置５０と情報サーバ７０との間に無線通信路を確立することなく、関連情報取得先情報の送受信が行われる場合を説明した。しかし、この場合には、画像撮影装置５０での関連情報取得先情報の受信が失敗した場合に、画像撮影装置５０が関連情報取得先情報を取得できないことになる。従って、上記図１０に示すように、画像撮影装置５０と情報サーバ７０との間に無線通信路を確立した後に、関連情報取得先情報を送受信するようにしてもよい。
【００６２】
以上のように、本発明の第２の実施形態に係る情報取得システム及び情報取得方法によれば、各ＩＤ受信機６０からは対象物ＩＤだけを提供するので、ＩＤ受信機６０は、対象物ＩＤを格納するだけの小さなメモリ領域を持てばよいことになる。また、情報サーバ７０は、対象物２０に関連する直接の情報ではなく、関連情報を取得できる先を示す情報を格納するので、メモリ領域が小さくて済む。また、情報サーバ７０は、複数の対象物２０の関連情報取得先情報を一元的に管理しているので、省スペース化及び低コスト化を図ることができ、また関連情報取得先情報の変更が生じた場合のメンテナンスも容易である。さらに、対象物２０の撮影時に取得する情報が関連情報取得先情報であるので、使用者は、画像撮影装置５０のメモリ残量が少ないとき等には、後から関連情報を入手するといった利用が可能となる。
【００６３】
なお、上記第２の実施形態では、画像撮影装置５０からＩＤ受信機６０への装置ＩＤの送信を、赤外線通信を用いて行う場合を説明したが、指向性がありかつ通信距離が短い無線通信を用いて行ってもよい。この無線通信は、画像撮影装置５０の赤外線送信部５０６及び赤外線発光部５０７をそれぞれ無線通信部及び指向性アンテナに、ＩＤ受信機６０の赤外線受信部６０２及び赤外線受光部６０３をそれぞれ無線通信部及び指向性アンテナに、変更することで容易に実現できる。この場合、画像撮影装置５０において、無指向性アンテナ５０５と指向性アンテナとを適宜切り替えると共に送受信感度を制御する構成にすれば、無線通信部が１つで済み、画像撮影装置５０の小型化及び低コスト化が図れる。
【００６４】
また、上記第２の実施形態では、情報サーバ７０が、対象物２０の関連情報取得先情報を画像撮影装置５０に送信する場合を説明した。しかし、図１７に示すように、情報サーバ７０にサーバ制御部７０１をネットワークに接続させるネットワークインタフェース部７０６をさらに付加することで、以下の処理を行うことも可能である。
【００６５】
画像撮影装置５０は、対象物２０の撮影時、装置ＩＤと共に使用者が有するメールアドレスをＩＤ受信機６０に送信する。情報サーバ７０は、ＩＤ受信機６０から対象物ＩＤ、装置ＩＤ及びメールアドレスを受信すると、この対象物ＩＤに対応する関連情報取得先情報を情報格納部４０２から抽出する。そして、情報サーバ７０は、ネットワークインタフェース部７０６を介して、抽出した関連情報取得先情報をメールアドレスで指定される機器に送信する。これにより、パソコン等の任意の機器に関連情報取得先情報を送信してもらうことができる。これは、画像撮影装置５０のメモリ残量よりも関連情報の容量が大きい場合や、画像撮影装置５０の通信速度が遅くて関連情報の取得完了までに時間がかかる場合等に、有効である。
【００６６】
また、上記第２の実施形態では、画像撮影装置５０からＩＤ受信機６０を介して情報サーバ７０に送信される情報が、装置ＩＤだけである場合を説明したが、画像撮影装置５０を持つ使用者のプロファイルを付加して送信すれば、上記第１の実施形態で述べたようなマーケティング効果も生じる。
【００６７】
（第３の実施形態）
上記第１の実施形態は、画像撮影装置１０を移動させること等によって、複数の対象物２０の中から１つの対象物２０が特定された後における、関連情報取得先情報の取得に関する発明である。
次に、第３の実施形態では、複数の対象物２０（のＩＤ送信機３０）から対象物ＩＤを同時に受信している状態において、その中から１つの対象物２０を特定する典型的な手法を説明する。
【００６８】
今、図１８のように、画像撮影装置１０が、３つのＩＤ送信機３０から対象物ＩＤを受けることができる位置に存在する場合を考える。
まず、画像撮影装置１０は、対象物２０の撮影を実行する前に、赤外線受信部１０６において、受信可能な対象物ＩＤの検出を行う。この検出は、キー入力部１０３の操作による使用者からの指示に基づいて行われてもよいし、予め設定された周期で自動的に行われてもよい。対象物ＩＤの検出が開始されると、画像撮影装置１０は、検出中を知らせるメッセージを表示部１１１の画面上に表示させる。例えば、図１９（ａ）である。
【００６９】
赤外線受信部１０６は、システムで予め設定された検出期間ｔｓｗの間、対象物ＩＤを受信し、検出期間ｔｓｗの終了後に受信した全ての対象物ＩＤの対象物２０を表示部１１１の画面上に表示させる。この表示としては、例えば、図１９（ｂ）のように対象物２０の名称が考えられる。この表示される名称は、ＩＤ送信機３０から対象物ＩＤと共に送信されればよい。なお、赤外線通信の場合、赤外線の受信が重なると判別できなくなるので、ＩＤ送信機３０からの赤外線送出が、異なる間隔で行われることが好ましい（図２０）。この場合には、検出期間ｔｓｗを、ＩＤ送信機３０から対象物ＩＤが送信される時間間隔の最大値以上に設定する必要がある。また、検出期間ｔｓｗの後には、使用者に対象物２０を特定させるための時間を与える検出インターバル期間ｔｓｉが設けられている。
【００７０】
表示部１１１の画面上に複数の対象物２０が表示されたことを確認した使用者は、検出インターバル期間ｔｓｉにおいて、その中からいずれか１つの対象物２０を選択するために、又は他の対象物２０を選択するために、画像撮影装置１０を移動させたり、向きを変えたりすることを行う。
検出インターバル期間ｔｓｉの終了後、赤外線受信部１０６は、次の検出期間ｔｓｗの間で再び対象物ＩＤを受信し、検出期間ｔｓｗの終了後に、受信した対象物ＩＤの対象物２０を表示部１１１の画面上に表示させる。
【００７１】
そして、次の検出インターバル期間ｔｓｉにおいて、使用者は、図１９（ｃ）のように表示部１１１の画面上に１つの対象物２０だけが表示されたことを確認し、上述した対象物２０の撮影処理を実行する。このときに、まだ複数の対象物２０が表示されている場合には、上記処理が繰り返し行われる。なお、上記実施例では、検出インターバル期間ｔｓｉの経過後に直ちに次の検出を開始しているが、使用者からのキー入力部１０３を介した指示に応じて開始してもよい。
【００７２】
なお、検出期間ｔｓｗの終了後に行われる表示部１１１の画面表示として、例えば、図１９（ｄ）のように対象物２０のサムネイル画像が考えられる。この表示されるサムネイル画像のデータは、ＩＤ送信機３０から対象物ＩＤと共に送信されればよい。この場合、使用者は、画像撮影装置１０を移動させたり、向きを変えたりすることなく、表示部１１１の画面上でいずれか１つの対象物２０を選択することを行う。この選択された対象物２０の対象物ＩＤが、情報サーバ４０に送信されることとなる。
【００７３】
上記第３の実施形態に係る対象物特定手法によれば、今現在対象物ＩＤを受信している対象物２０の情報を表示部１１１を通して使用者に提示するので、複数の対象物２０の対象物ＩＤを受信しているような場合でも、使用者は、複数の対象物２０の中から、確実かつ簡易に所望する１つの対象物２０を特定することができる。
【００７４】
【発明の効果】
請求項１及び請求項１３の発明によれば、ＩＤ送信機から送信される対象物識別情報を利用して、撮影した対象物の関連情報を所定の情報サーバから取得することができる。各ＩＤ送信機からは対象物識別情報だけを送信させるので、ＩＤ送信機は、対象物識別情報を格納するだけの小さなメモリ領域を持てばよいことになる。
【００７５】
請求項２の発明によれば、パソコン等の任意の機器に対象物の関連情報を送信してもらうことができる。これは、画像撮影装置のメモリ残量よりも関連情報の容量が大きい場合や、画像撮影装置の通信速度が遅くて関連情報の取得完了までに時間がかかる場合等に、有効である。また、使用者は、後日関連情報の一部又は全部を入手するといった利用が可能となる。
【００７６】
請求項３〜請求項５の発明によれば、第１の通信手法により、画像撮影装置は、位置を移動することで複数のＩＤ送信機の中から所望の１つを特定できる。また、第２の通信手法により、画像撮影装置は、現在の場所から常に所定の情報サーバと通信を行うことができるのである。
【００７７】
請求項６及び請求項７の発明によれば、画像撮影装置が、対象物識別情報を受信することができる位置に移動できたかどうかを、使用者に通知することができる。さらに、請求項７によれば、使用者は通知された内容を利用して、任意の１つの対象物を特定することが可能となる。
【００７８】
請求項８の発明によれば、画像撮影装置の撮影ボタンが押されただけで、使用者に情報取得操作を意識させることなく、対象物の画像とその対象物の関連情報とを一度に入手することができる。
【００７９】
請求項９の発明によれば、対象物撮影の際に取得する情報が取得先情報であるので、画像撮影装置は、対象物の関連情報を格納するために多くのメモリ領域を持つ必要がない。
【００８０】
請求項１０の発明によれば、所定の情報サーバは、複数の対象物の関連情報を一元的に管理しているので、省スペース化及び低コスト化を図ることができ、また対象物の関連情報の変更が生じた場合のメンテナンスも容易である。
【００８１】
請求項１１及び請求項１２の発明によれば、画像撮影装置は、ＩＤ送信機から送信される対象物識別情報を利用して、撮影した対象物の関連情報を所定の情報サーバから取得することができる。
【図面の簡単な説明】
【図１】本発明の第１の実施形態に係る情報取得システムの構成を示すブロック図である。
【図２】画像撮影装置１０の詳細な構成を示すブロック図である。
【図３】ＩＤ送信機３０の詳細な構成を示すブロック図である。
【図４】情報サーバ４０の詳細な構成を示すブロック図である。
【図５】情報格納部４０２に格納される内容の一例を示す。
【図６】ＩＤ送信機３０から送信される赤外線、及び画像撮影装置１０及び情報サーバ４０から送信される無線電波の一例を示す図である。
【図７】本発明の第１の実施形態に係る情報取得方法の処理手順を示すフローチャートである。
【図８】画像撮影装置１０の表示部１１１に表示される画面例を示す図である。
【図９】画像撮影装置１０の記憶部１０２に記憶される内容の一例を示す図である。
【図１０】第１の実施形態に係る情報取得方法に基づいて実行される通信シーケンスの一例を示す図である。
【図１１】情報サーバ４０の他の詳細な構成を示すブロック図である。
【図１２】本発明の第２の実施形態に係る情報取得システムの構成を示すブロック図である。
【図１３】画像撮影装置５０の詳細な構成を示すブロック図である。
【図１４】ＩＤ受信機６０の詳細な構成を示すブロック図である。
【図１５】情報サーバ７０の詳細な構成を示すブロック図である。
【図１６】本発明の第２の実施形態に係る情報取得方法の処理手順を示すフローチャートである。
【図１７】情報サーバ７０の他の詳細な構成を示すブロック図である。
【図１８】本発明の第３の実施形態に係る対象物特定手法を説明するための図である。
【図１９】画像撮影装置１０の表示部１１１に表示される画面例を示す図である。
【図２０】第３の実施形態に係る対象物特定手法を説明するためのタイミングチャートである。
【符号の説明】
１０，５０…画像撮影装置
２０…対象物
３０…ＩＤ送信機
４０，７０…情報サーバ
６０…ＩＤ受信機
１０１，５０１…システム制御部
１０２，５０２…記憶部
１０３…キー入力部
１０４，４０３，５０４，７０３…無線通信部
１０５，４０４，５０５，７０４…無指向性アンテナ
１０６，６０２…赤外線受信部
１０７，６０３…赤外線受光部
１０８…画像取得部
１０９…画像符号化処理部
１１０…画像復号化処理部
１１１…表示部
３０１，６０１…ＩＤ記憶部
３０２，５０６…赤外線送信部
３０３，５０７…赤外線発光部
４０１，７０１…サーバ制御部
４０２…情報格納部
４０５，７０６…ネットワークインタフェース部
６０４，７０５…インタフェース部
【図１】
2004029749.tif 000003
【図２】
2004029749.tif 000004
【図３】
2004029749.tif 000005
【図４】
2004029749.tif 000006
【図５】
2004029749.tif 000007
【図６】
2004029749.tif 000008
【図７】
2004029749.tif 000009
【図８】
2004029749.tif 000010
【図９】
2004029749.tif 000011
【図１０】
2004029749.tif 000012
【図１１】
2004029749.tif 000013
【図１２】
2004029749.tif 000014
【図１３】
2004029749.tif 000015
【図１４】
2004029749.tif 000016
【図１５】
2004029749.tif 000017
【図１６】
2004029749.tif 000018
【図１７】
2004029749.tif 000019
【図１８】
2004029749.tif 000020
【図１９】
2004029749.tif 000021
【図２０】
2004029749.tif 000022